(57)【要約】【課題】保護する物品に容易かつ迅速に巻回又は取り付けすることができて、しかも搬送中の振動や衝撃によっても緩むことなく確実に取り付け位置を保持し、もって、搬送及び取扱時における物品の損傷及び相手物の傷つきを防止できる緩衝用保護バンドを提供し、さらに、搬送時に利用されるパレット等に確実かつ迅速に固定できる緩衝用保護バンドをも提供すること【解決手段】物品を巻回するときに、緩衝用保護バンド１０が滑り空転してほどけることないように、物品と接触する側のシートをゴム、ウレタン等の滑り防止素材によって形成した。また、面ファスナー１４が緩衝用保護バンド１０の端部又は端部近傍に取り付けた。【選択図】　図１
2004106882.tif 000002
【特許請求の範囲】
【請求項１】
物品を搬送する際に、物品同士の接触により損傷するのを防止するために、物品に巻き付けて使用される緩衝用保護バンドにおいて、
巻き付けた時に物品と接触する面をなし、ゴム、ウレタン等の伸縮性を有する滑り防止素材によって一定幅のベルト状に形成されたベースシートと、該ベースシートの片面に被覆された起毛状の繊維シートとを有するバンド部と、
前記バンド部の少なくとも端部又は端部近傍に取り付けられ、起毛状の繊維シートと面接合可能な面ファスナーとを備えてなることを特徴とする緩衝用保護バンド。
【０００１】
【発明の詳細な説明】
【発明の属する技術分野】
本発明は、窓サッシ、扉等の建材、食卓、椅子などの家具などの種々の物品を搬送する際に、物品同士の接触により物品が損傷するを防止するための緩衝用保護バンドに関する。
【０００１】
【従来の技術】
工場で生産された窓サッシ、室内扉等の建材や、食卓、椅子などの家具などの物品を搬送する場合に、搬送中に他の物品とぶつかって物品が傷ついたり、相手物を損傷させることを防止する必要がある。そこで、一般的には、物品同士が接触しやすい場所や損傷し易い場所に、帯状の発泡シート等の緩衝材からなる樹脂性のバンド状のものを巻き付けて、また、ダンボール等を巻き付けて、テープでこのダンボールを固定して衝撃を緩和させて傷の発生を防止してきた。
【０００２】
しかしながら、この樹脂性のバンド等は、巻き終えた後に固定用の接着テープを樹脂性のバンド等の外周に巻回して固定しなければならなかった。したがって、樹脂性のバンド等の巻き付けと固定用の接着テープの巻き付けの２回の巻回操作が必要となり、取り付け作業に時間がかかるという問題点があった。
【０００３】
また、接着テープは、接着強度が高く、また破断強度が強いことからカッターナイフ等で切断しないと巻き付けた接着テープを取り外すことが困難であるという問題点があった。しかし、接着テープのみを切断することは困難であるので当然同時に樹脂性のバンドも切断することになる。したがって、樹脂性のバンドは必然的に使い捨てとなり、結果的に非常にコストがかかってしまっていた。また、最悪の場合には、カッターナイフによって物品自体に傷をつけてしまう場合も発生した。
【０００４】
そこで、こうした問題点を解消するため、本発明者は、特許第２９４７２２９号において、一定巾で所定長さに形成されて面止着可能な材質からなる繊維バンドの片面において長さ方向の少なくとも端部に、前記繊維バンドと着脱自在に面止着する面ファスナーを取り付けた養生材、について提案している。
【０００５】
この発明によれば、養生材を前記製品に巻回した後、繊維バンドと面ファスナーとを面止着することにより養生材端部を固定することができるため、別途接着テープを必要とせず、巻回する操作は一回で済む。したがって、取り付け作業に係る時間は従来品と比較して短くすむ。また、取り外す場合にも、面ファスナーの止着力に抗して繊維バンドを引っ張るだけで簡単に外せるので、再利用することができる。さらに、カッターナイフ等を使用することがないので、製品を傷つける心配もない。
【０００６】
しかしながら、この養生材は、確かに一定の効果を有するものの、いまだ迅速な取り付けという観点からみると、以下のような問題点があった。例えば、養生材が繊維で作製されているため物品と養生材は非常に滑りやすい。従って、上記養生材を物品に巻回するとき、図１１に示すように物品の周りを養生材が空転してしまい物品からほどけてしまうのである。また、上記養生材は伸張性が乏しいので、物品との間に隙間なく巻回するのは難しく、ある程度きつく巻いたとしても、搬送する際の振動や衝撃によって、次第に養生材が緩んできて養生材が巻回固定した場所或いは保護すべき製品位置からずれてしまうことがたびたび発生した。
【０００７】
【発明が解決しようとする課題】
そこで、本発明は以上のような問題点に鑑みてなされたもので、本発明が解決しようとする課題は、保護する物品に容易かつ迅速巻き付け又は取り付けすることができて、しかも搬送中の振動や衝撃によっても緩むことなく確実に取り付け位置を保持し、もって、搬送及び取扱時における物品の損傷及び相手物の傷つきを確実に防止できる緩衝用保護バンドを提供するものである。さらに、搬送時に利用されるパレット等に確実かつ迅速に固定できる緩衝用保護バンドをも提供するものである。
【０００８】
【課題を解決する手段】
以上のような問題点を解決するために請求項１記載の発明が採った手段は、物品を搬送する際に、物品同士の接触によって損傷するのを防止するために、物品に巻き付けて使用される緩衝用保護バンド１０において、巻き付けた時に物品と接触する面をなし、ゴム、ウレタン等の収縮性を有する滑り防止素材によって一定幅のベルト状に形成されたベースシート１１と、該ベースシート１１に被覆された起毛状の繊維シート１２とを有するバンド部１３と、前記バンド部１３の少なくとも端部又は端部近傍に取り付けられ、起毛状の繊維シート１２と面接合可能な面ファスナー１４とを備えてなることを特徴とする緩衝用保護バンド１０、とするものである。
【０００９】
請求項１に記載の発明は、物品同士が接触し、損傷し易い場所に巻き付けて使用されるもので、物品同士がぶつかったときに傷ができるのを防止する緩衝材としての役割を果たすものである。本発明の緩衝用保護バンドは、起毛状の繊維シートと伸縮性を有するベースシートを積層してあるので、起毛による衝撃の吸収とベースシートによる衝撃の吸収とで、より緩衝力が増加され効果的に衝撃から物品を保護することができる。また、外側に起毛状の繊維シートを設けることで、相手物品に傷等が発生することもより効果的に防止することができる。また、物品に巻き付けたときに、図１１のように、緩衝用保護バンド１０が滑り空転してほどけることないように、物品に接触する側、すなわち、物品に巻き付けられる側のシートをゴム、ウレタン等の滑り防止素材によって形成してある。したがって、緩衝用保護バンドを物品に１回転させれば（図１２参照）、物品に密着してほどけることないので、容易かつ迅速に巻き付けることができる。また、面ファスナー１４が緩衝用保護バンド１０の端部又は端部近傍に取り付けてあるので、巻き付けた後、面ファスナー１４を起毛状の繊維シート１２に軽く押しつければ、緩衝用保護バンド１０を物品に固定することができる。さらに、緩衝用保護バンド１０は、伸張自在で素材自体が収縮性を有する材料を用いているので、取り付けた後においても常に緊張した状態で物品に巻き付いていることになる。したがって、搬送時の振動や衝撃によって緩衝用保護バンド１０が緩むことがない。一方、取り外す場合は、面ファスナー１４を起毛状の繊維シート１２から引き剥がせば容易に取り外すことができる。
【００１０】
【発明の実施の形態】
本発明の緩衝用保護バンドは、下層のベースシートと下層に被覆された上層の起毛状の繊維シートを有してなるバンド部と、このバンド部の端部又は端部近傍に取り付けられた面ファスナーとを備えている。
【００１１】
ベースシートは、ゴム、ウレタン等のように、伸張可能でありかつ伸張した場合に素材自体に収縮機能を有する伸張素材が用いられる。勿論、ゴムやウレタンに限定されるものではなく、伸張機能を有しかつ素材自体に収縮機能を有するものであれば、他の素材を用いても構わない。
【００１２】
起毛状の繊維シートは、以下に説明する面ファスナーと接合可能な起毛状の繊維シートであればよく、不織布、織布の他、パイル布等いかなるものであっても構わない。また、素材自体も特に限定するものではなく、天然繊維であると化学繊維であるとは問わない。
【００１３】
面ファスナーは、繊維布に面接合可能に形成されているものであり、先端が鈎状或いは傘状に形成された周知のものが用いられる。面ファスナーは、バンド部の端部又は端部近傍に取り付けられていれば、取り付ける面はベースシート側でも起毛状の繊維シート側でもよく、物品を巻回又は固定する方法に応じて適当な面に取り付けられる。また、面ファスナーの大きさは、特に限定するものではなく、端部若しくは端部近傍に取り付けてあれば、端部にのみ取り付けても、バンド部全面に取り付けても構わない。なお、取り付け方法は、接着剤を用いて接着したり、縫製したり等種々の方法が用いられる。
【００１４】
以上のように作成された緩衝用保護バンドは、ベースシート側を内側、すなわち物品と接触するように、物品に巻き付けて緩衝材として使用される。また、搬送時にパレット等に固定する緩衝用保護バンドとしての使用も可能である。
【００１５】
（実施例１）
以下に本発明の最適な実施例を図に従って説明する。図１は、実施例１の緩衝用保護バンド１０を表す斜視図である。図２は、図１の緩衝用保護バンド１０の裏面を表す斜視図である。図３は平面図及び断面図である。緩衝用保護バンド１０は、巾３０ｍｍ、長さ５００ｍｍ、厚さ２ｍｍ程度の発泡ウレタンからなる帯状のベースシート１１と、このベースシート１１の片面に被覆されたナイロンの合成繊維からなる起毛状の繊維シート１２と、ベースシート１１の端部近傍に取り付けられた面ファスナー１４とからなる。起毛状の繊維シート１２は面ファスナー１４との接合を容易にすべく、ループ状或いは毛羽立った起毛状の繊維布が用いられている。面ファスナー１４は、ベースシート１１側に端部から１ｃｍ程度の間隔をおいて巾２５ｍｍ長さ５ｃｍ程度に形成されていて、縫製により両端部から１ｃｍ程度間隔をおいて取り付けてある。１ｃｍ程度の間隔をおいたのは、端部に接合されていない取りしろを形成し、取り外しを容易にするためである。
【００１６】
このようにして作製された緩衝用保護バンド１０は、以下のようにして使用される。なお、実施例１においては、物品としてアルミニウム等で矩形枠状に形成された窓サッシを使用した例を表しているが（図４）、これに限定されるものではない。窓サッシへの取り付け方法は、ベースシート１１が内側になるように、すなわち、窓サッシと接触するようにして、図５のように多少緩衝用保護バンド１０を伸張させながら１周巻き付ける。この時点で緩衝用保護バンド１０はベースシート１１の滑り止め機能及び収縮機能の相互作用により、物品に密着しているため空転しずらくなっている。よって、緩衝用保護バンド１０を伸張させつつ、さらに所定回数緩衝用保護バンド１０を物品に巻き込んでいく。そして、緩衝用保護バンド１０を全て巻き終えた後、面ファスナー１４を起毛状の繊維シート１４に軽く押しつけて接合し固定させる。こうして図６に示したように緩衝用保護バンド１０は窓サッシに対して空転することがないので容易かつ迅速に窓サッシに固定されることになる。なお、面ファスナー１４は、緩衝用保護バンド１０の両端に取り付けられているので、左巻き、右巻きいずれの方向にも巻き込むことができる。同様にして、物品同士が接触して傷つきやすい場所に緩衝用保護バンドを巻き込んでいく。実施例１においては、窓サッシの左右の柱枠中央の４カ所に巻回されている。
【００１７】
こうして窓サッシに取り付けられた緩衝用保護バンド１０は、緩衝用保護バンド１０の収縮機能と滑り止め機能により、物品に常に緊張した状態で取り付けられているので、搬送中の振動や衝撃等によってズレたり移動することがなく、物品同士が緩衝する場所を確実に保護し、緩衝材として機能する。
【００１８】
そして、搬送終了後、緩衝用保護バンド１０の取りしろを把持して起毛状の繊維シート１２に接合された面ファスナー１４を引き剥がして、緩衝用保護バンド１０は取り外される。
【００１９】
（実施例２）
次に緩衝用保護バンド２０の他の使用例について説明する。緩衝用保護バンド２０のバンド部２３は実施例１の緩衝用保護バンド１０と同様の仕様であるので、省略する。面ファスナー１４は、起毛状の繊維シート２２側に取り付けられている点が実施例１と異なる。端部から１ｃｍ程度の間隔をおいた両端部に取り付けている点は同様である。
【００２０】
パレット３０は、物品を載置することができる板状に形成されており、物品を載置する場所には物品がパレット上を滑って移動しないように、図１０に示すようにベースシートと同様のウレタンが敷いてある。さらに、緩衝用保護バンド２０を取り付けるため、パレットの両端部に緩衝用保護バンド２０を通す孔３１が形成されている。パレット３０に搬送する物品を載置した後、緩衝用保護バンド２０を孔３１に通し、折り返して起毛状の繊維シート２２に面ファスナー２４を接合させてパレット３０に緩衝用保護バンド２０を取り付けることができる。その後、物品をパレット３０との間に挟みこむように緩衝用保護バンド２０を多少伸張させつつ周設して反対の孔（図示しない）に緩衝用保護バンド２０を通し同様に折り返して繊維ファスナー１４と接合させて物品をパレット３０に固定する。
【００２１】
こうして緩衝用保護バンド２０によってパレット３０に固定された物品は、緩衝用保護バンド２０の収縮機能と滑り止め機能により、パレット３０上に確実に固定されることになる。また、緩衝用保護バンド２０は緊張しているので、搬送中の振動や衝撃等によってズレたり移動することがない。したがって、搬送時の物品同士の接触を最小限に押さえることができる。そして、パレット３０ごと搬送される。
【００２２】
そして搬送が終了した後は、緩衝用保護バンド２０の取りしろを把持して起毛状の繊維シート２２に接合された面ファスナー２４を引き剥がせば、物品の固定を解くことができる。
【００２３】
【発明の効果】
本発明に係る請求項１記載の緩衝用保護バンドによれば、巻き込むときに物品と接触する側がゴム、ウレタン等の滑り防止素材によってベースシートが形成されているので、緩衝用保護バンドを物品に１回転すれば、滑り止め機能と伸張収縮機能を有するので、ベースシートが物品に密着し、緩衝用保護バンドが滑り空転することなく容易に物品を巻回又は固定することができる。また、ゴム又はウレタンといった衝撃吸収材に繊維布としてふっくらした状態を有する起毛状の繊維とが相互に緩衝作用を有することにより、効果的に衝撃等を緩衝することができる。また、端部又は端部近傍に面ファスナーが取り付けられているので、最終的には、起毛状の繊維シートに面ファスナーを密着させるだけで緩衝用保護バンドを固定することができる。したがって、特に接着テープ等を必要とすることなく緩衝用保護バンドのみで取り付けることができる。また、巻回又は固定した後も緩衝用保護バンドはベースシートの伸縮機能と滑り止め機能とによって物品と密着して形成されているので、搬送時に振動や揺れが発生しても物品の巻回又は固定した位置からズレたり、移動したりするのを防止することができる。
したがって、取り付けた後も安定した取り付け状態を保持できる。一方、取り外す場合も、面ファスナーを引き剥がすだけで容易に取り外すことができる。よって、カッターナイフ等により、物品を傷つけることもない。
また、パレットに物品を固定する場合においても、ゴム、ウレタン等の滑り防止素材によって形成されているので、物品と緩衝用保護バンドが滑ることなく確実かつ容易に固定することができる。また、緩衝用保護バンドは伸張自在に形成されているので、固定した後は、緩衝用保護バンドの緊張を利用して固定することができる。したがって、搬送時の揺れや振動によって緩衝用保護バンドが緩むことがない。
【図面の簡単な説明】
【図１】実施例１に係る緩衝用保護バンドを示す斜視図である。
【図２】図１の緩衝用保護バンドの裏面を表す斜視図である。
【図３】図１の緩衝用保護バンドの平面及び断面を表す図である。
【図４】実施例１に係る緩衝用保護バンドの使用状態を表す図である。
【図５】実施例１に係る緩衝用保護バンドを物品に１周させた状態を示す模式図である。
【図６】実施例１に係る緩衝用保護バンドを物品に巻き付けた状態を示す断面図である。
【図７】実施例２に係る緩衝用保護バンドを示す斜視図である。
【図８】図８の緩衝用保護バンドの裏面を表す斜視図である。
【図９】図８の緩衝用保護バンドの平面及び断面を表す図である。
【図１０】実施例２に係る緩衝用保護バンドの使用状態を表す図である。
【図１１】従来のバンドを物品に１周させた場合の模式図である。
【図１２】本発明に係る緩衝用保護バンドを物品に１周させた場合の模式図である。
【符号の説明】
１０　緩衝用保護バンド
１１　ベースシート
１２　起毛状の繊維シート
１３　バンド部
１４　面ファスナー
２０　緩衝用保護バンド
２１　ベースシート
２２　起毛状の繊維シート
２３　バンド部
２４　面ファスナー
【図１】
2004106882.tif 000003
【図２】
2004106882.tif 000004
【図３】
2004106882.tif 000005
【図４】
2004106882.tif 000006
【図５】
2004106882.tif 000007
【図６】
2004106882.tif 000008
【図７】
2004106882.tif 000009
【図８】
2004106882.tif 000010
【図９】
2004106882.tif 000011
【図１０】
2004106882.tif 000012
【図１１】
2004106882.tif 000013
【図１２】
2004106882.tif 000014